(57)【要約】【課題】施工が容易であり、安価な、壁面緑化のための緑化コンテナを提供する。【解決手段】ビル等の構造物の壁面に設置する緑化コンテナであって、底網の周縁に複数の側網を立設して形成した箱体と、前記箱体の上口を封鎖する蓋網と、からなるコンテナ本体と、前記コンテナに収容する緑化基盤材と、からなることを特徴とする、緑化コンテナ。【選択図】図１
0003127511.tif 000002
【実用新案登録請求の範囲】
【請求項１】
ビル等の構造物の壁面に設置する緑化コンテナであって、
底網の周縁に複数の側網を立設して形成した箱体と、前記箱体の上口を封鎖する蓋網と、からなるコンテナ本体と、
前記コンテナに収容する緑化基盤材と、からなることを特徴とする、
緑化コンテナ。
【請求項２】
請求項１に記載の緑化コンテナにおいて、前記緑化基盤材は、立体ネット状の基盤と、前記立体ネット基盤に予め付設したコケ植物と、からなることを特徴とする、緑化コンテナ。
【考案の詳細な説明】
【技術分野】
【０００１】
本考案は、ビル等の構造物の壁面緑化に用いる緑化コンテナに関するものである。
【背景技術】
【０００２】
近年、地球規模の気候の変化が顕著になり、環境問題が重視されるようになってきている。
特に、電力や自動車の使用によるＣＯ２排出量の増加に伴う地球温暖化は大きな問題となっている。
地球温暖化防止対策の一つとして、ビル等の構造物の屋上や壁面の緑化を推進し、ＣＯ２吸収源を拡大することが図られている。
【０００３】
従来、建造物の壁面緑化には、実際の植物を利用した緑化が行われている。
【考案の開示】
【考案が解決しようとする課題】
【０００４】
従来、建造物の壁面緑化を進めるにあたり、実際の植物を用いる場合には、次のような問題点がある。
＜１＞植物の他にも、土等の緑化基材が必要となるため、コストが高い。
＜２＞植物や、土等の緑化基材の重量があるため、施工性が低い。
＜３＞植物の維持管理の手間がかかる。
＜４＞植物や、土等の緑化基材の重量物を壁面に固定する際に、安定した取付が困難である。
【０００５】
本考案は以上の問題点を解決するためになされたもので、その目的とするところは、施工が容易であり、安価な、壁面緑化のための緑化コンテナを提供することにある。
【課題を解決するための手段】
【０００６】
上記のような問題を解決するために、本願の第１考案は、ビル等の構造物の壁面に設置する緑化コンテナであって、底網の周縁に複数の側網を立設して形成した箱体と、前記箱体の上口を封鎖する蓋網と、からなるコンテナ本体と、前記コンテナに収容する緑化基盤材と、からなることを特徴とする、緑化コンテナを提供する。
本願の第２考案は、前記緑化基盤材は、立体ネット状の基盤と、前記立体ネット基盤に予め付設したコケ植物と、からなることを特徴とする、第１考案に記載の緑化コンテナを提供する。
【考案の効果】
【０００７】
本考案の緑化コンテナは、次のような効果を得ることができる。
＜１＞土等の緑化基材が不要であるため、安価に作成することができる。
＜２＞緑化コンテナは網製の箱体であるため、軽量であり、容易に施工することができる。
＜３＞植物としてコケを用いるため、通年管理が不要となる。
＜４＞緑化コンテナは網製の箱体であるため、壁面に安定して固定することができる。
＜５＞コンテナ本体の内部に緑化基盤材を収容するため、緑化基盤材を安定した形態に保つことができる。
【考案を実施するための最良の形態】
【０００８】
以下、本考案について図面を参照した実施の形態により詳細に説明する。
【０００９】
＜１＞緑化コンテナの概要
本考案の緑化コンテナは、図１に示すように、箱体１１と蓋網１２からなるコンテナ本体１０に、緑化基盤材２０を内包するものである。
以下、各構成部品について詳述する。
【００１０】
＜２＞コンテナ本体
コンテナ本体１０は、内部に緑化基盤材２０を収容するためのものである。
コンテナ本体１０は、矩形の底網１１１の周縁に側網１１２を立設させて形成した箱体１１と、箱体１１の上口を封鎖する矩形の蓋網１２とにより構成する。
底網１１１及び蓋網１２の形状は正方形としてもよい。
各網は鋼線からなる金網等、公知の網体により構成する。
【００１１】
＜３＞緑化基盤材
緑化基盤材２０は、コンテナ本体１０に収容するものである。
緑化基盤材２０は、図２に示すように、公知の緑化シートや緑化マット等からなる立体ネット状の基盤材２１と、基盤材２１表面に植生したスナゴケやハイゴケ等のコケ植物２２とからなる。
コケ植物２２は根といわれる通導組織がなく、必要な水分や養分を植物体表面から吸収するため、砂等の土壌を用いずに植生できる。よって、軽量な緑化基盤材２０を構成することが出来る。
またコケ植物２２は、刈込みや施肥等の維持管理が不要である。
【００１２】
［作用］
次に、本考案の緑化コンテナを用いた緑化方法について説明する。
【００１３】
図３に示すように、箱体１１の内部に緑化基盤材２０を収容した後、蓋網１２を取り付けて、緑化コンテナを構成する。
緑化基盤材２０は、コンテナ本体１０に収容した後にコケ植物を植生させるのではなく、基盤材２１に予めコケ植物２２を植生させた状態でコンテナ本体１０に収容する。
蓋網１２は結束線１３やボルトを介して、箱体１１に取り付ける。
【００１４】
次に、緑化コンテナを壁面３０に設置する。壁面３０は、ビル等の構造物の外壁面だけでなく、室内等の内壁面も含む。
緑化コンテナは、図３に示すように、壁面３０に打設した固定ピン３１に掛止してもよいし、壁面３０に設けた掛止具３２により掛止してもよい。
隣接する緑化コンテナは、結束線１３により結合する。
緑化コンテナは矩形もしくは正方形であるため、隙間なく壁面３０を埋めることができる。
コンテナ本体１０が網製であり、緑化基盤材２０も軽量であるため、緑化コンテナは軽量であり、容易に施工することができる。
緑化基盤材２０をコンテナ本体１０に収容しているため、壁面３０からの緑化基盤材２０の剥離を防止でき、安定した形態で壁面に取り付けることができる。また、コケ植物２２への鳥害を防止することができる。
【図面の簡単な説明】
【００１５】
【図１】本考案の緑化コンテナの分解説明図
【図２】本考案の緑化基盤材の説明図
【図３】本考案の緑化コンテナの使用方法の説明図
【符号の説明】
【００１６】
１０      コンテナ本体
１１      箱体
１１１    底網
１１２    側網
１２      蓋網
１３      結束線
２０      緑化基盤材
２１      基盤材
２２      コケ植物
３０      壁面
３１      固定ピン
３２      掛止具
【図１】
0003127511.tif 000003
【図２】
0003127511.tif 000004
【図３】
0003127511.tif 000005
【手続補正書】
【提出日】平成18年9月29日(2006.9.29)
【手続補正１】
【補正対象書類名】実用新案登録請求の範囲
【補正対象項目名】全文
【補正方法】変更
【補正の内容】
【実用新案登録請求の範囲】
【請求項１】
ビル等の構造物の壁面に設置する緑化コンテナであって、
底網の周縁に複数の側網を立設して形成した箱体と、前記箱体の上口を封鎖する蓋網と、からなるコンテナ本体と、
前記コンテナに収容する緑化基盤材と、からなることを特徴とする、
緑化コンテナ。
【請求項２】
請求項１に記載の緑化コンテナにおいて、前記緑化基盤材は、立体ネット状の基盤と、前記基盤に予め付設したコケ植物と、からなることを特徴とする、緑化コンテナ。
【手続補正２】
【補正対象書類名】明細書
【補正対象項目名】０００６
【補正方法】変更
【補正の内容】
【０００６】
上記のような問題を解決するために、本願の第１考案は、ビル等の構造物の壁面に設置する緑化コンテナであって、底網の周縁に複数の側網を立設して形成した箱体と、前記箱体の上口を封鎖する蓋網と、からなるコンテナ本体と、前記コンテナに収容する緑化基盤材と、からなることを特徴とする、緑化コンテナを提供する。
本願の第２考案は、前記緑化基盤材は、立体ネット状の基盤と、前記基盤に予め付設したコケ植物と、からなることを特徴とする、第１考案に記載の緑化コンテナを提供する。